(57)【要約】【課題】ディスプレイの反応速度増加装置と駆動方法の提供。【解決手段】データドライバ内のディジタルアナログ変換器内にセレクトコントローラを設置し、内部或いは外部より印加する複数の参考電圧を選択し、周知の、過駆動（ｏｖｅｒｄｒｉｖｅ）の方法により液晶光電反応速度を増加し、データドライバ中の最高と最低グレースケールコードの過駆動不能の欠点を解決し、液晶ディスプレイの反応速度を増加する目的を達成する。【選択図】        図５
2004226952.tif 000002
【特許請求の範囲】
【請求項１】
ディスプレイの反応速度増加装置において、該ディスプレイの反応速度増加装置はディスプレイ駆動電圧或いは電流を増加する方法によりディスプレイの光電反応の速度を改善すると共に最も暗い及び最も明るいグレースケールコード付近の過駆動不能の問題を解決し、該ディスプレイの反応速度増加装置は、
複数ビットの画像データを受け取り、並びにこの画像データの複数ビットと過駆動制御信号を発生するデータ変動処理ユニットと、
該データ変動処理ユニットの出力する該画像データと該過駆動制御信号を受け取り、ディスプレイを駆動するのに必要な異なる電気信号を発生する少なくとも一つのデータドライバと、
を具えたことを特徴とする、ディスプレイの反応速度増加装置。
【請求項２】
請求項１記載のディスプレイの反応速度増加装置において、データドライバ内にディジタルアナログ変換器が設置されたことを特徴とする、ディスプレイの反応速度増加装置。
【請求項３】
請求項２記載のディスプレイの反応速度増加装置において、ディジタルアナログ変換器に複数の参考電圧信号が連接されてこれにより複数のディスプレイ駆動電気信号を発生することを特徴とする、ディスプレイの反応速度増加装置。
【請求項４】
請求項３記載のディスプレイの反応速度増加装置において、ディジタルアナログ変換器に連接された最も暗いグレースケールコードが選択に供される複数の駆動電気信号を具えたことを特徴とする、ディスプレイの反応速度増加装置。
【請求項５】
請求項３記載のディスプレイの反応速度増加装置において、ディジタルアナログ変換器に連接された最も明るいグレースケールコードが選択に供される複数の駆動電気信号を具えたことを特徴とする、ディスプレイの反応速度増加装置。
【請求項６】
請求項３記載のディスプレイの反応速度増加装置において、ディジタルアナログ変換器に連接された最も暗いグレースケールコード及び最も明るいグレースケールコードが選択に供される複数の駆動電気信号を具えたことを特徴とする、ディスプレイの反応速度増加装置。
【請求項７】
ディスプレイの反応速度増加装置において、該ディスプレイの反応速度増加装置はデータドライバによりディスプレイ駆動電気信号を増加してディスプレイの光電反応の速度を改善すると共に最も暗い及び最も明るいグレースケールコード付近の過駆動不能の問題を解決し、該ディスプレイの反応速度増加装置は、
この時刻のフレームデータを保存し前の一つの時刻のフレームデータを読み取るのに供される第１メモリユニットと、
過駆動策略を保存する第２メモリユニットと、
複数ビットの画像データを受け取り、この時刻のフレームデータと前の一つの時刻のフレームデータの対比を行ない、並びにこの画像データの複数ビットと過駆動制御信号を発生するデータ変動処理ユニットと、
該データ変動処理ユニットの出力する該画像データと該過駆動制御信号を受け取り、ディスプレイを駆動するのに必要な異なる電気信号を発生するデータドライバと、
を具えたことを特徴とする、ディスプレイの反応速度増加装置。
【請求項８】
請求項７記載のディスプレイの反応速度増加装置において、データドライバ内に更に、
複数の参考電気信号に連接され、これによりディスプレイを駆動するのに必要な複数の電気信号を発生する駆動信号発生ユニットと、
該駆動信号発生ユニットの発生する複数の駆動信号に連接され並びに入力される画像データと連接された駆動信号セレクタと、
最も暗いグレースケールコードの複数の駆動信号に連接された第１スイッチと、
最も明るいグレースケールコードの複数の駆動信号に連接された第２スイッチと、
第１スイッチと第２スイッチに連接され、切り換えを行ない、最も暗いグレースケールコードと最も明るいグレースケールコードが対応する複数の駆動信号の一つをそれぞれ選択するセレクトコントローラと、
を具えたことを特徴とする、ディスプレイの反応速度増加装置。
【請求項９】
請求項８記載のディスプレイの反応速度増加装置において、セレクトコントローラが過駆動制御信号を受け取り、第１スイッチと第２スイッチの切り換え状態を制御することを特徴とする、ディスプレイの反応速度増加装置。
【請求項１０】
請求項８記載のディスプレイの反応速度増加装置において、セレクトコントローラが過駆動制御信号と画像データの少なくとも１ビットを受け取り、第１スイッチと第２スイッチの切り換え状態を制御することを特徴とする、ディスプレイの反応速度増加装置。
【発明の詳細な説明】
【０００１】
【発明の属する技術分野】
本発明は一種のディスプレイの反応速度増加装置と駆動方法に係り、特に、データドライバ内のディジタルアナログ変換器内に複数の参考電圧を設置して過駆動による液晶ディスプレイ光電反応速度増加の目的を達成する装置と方法に関する。
【０００２】
【従来の技術】
周知のように、一般に液晶ディスプレイにあっては、液晶分子の印加駆動電圧に対する分極反応は非常に緩慢であり、この特性が液晶ディスプレイの商品化の大きな障害となっている。ねじれネマティック型液晶はスイッチング速度増加の面で非常に大きく進展しているが、しかし依然として相当に明らかな視覚疵を有し、その液晶画素の完全オン或いは完全オフの速度は十分であるが、中間グレースケールの切り換え速度は十分に速くはない。このような問題を解決するために新たな液晶分子を合成するとすれば、多くのコストがかかる。このため、我々は液晶分子駆動電圧を増加することにより液晶分子反応の速度を改善する。
【０００３】
周知の電子システム過駆動（ｏｖｅｒｄｒｉｖｅ）を利用した実施方式は、概念上は図１の周知の技術の液晶反応速度増加概念表示図に示されるように、複数のフレームを具えた画像にあって、当時のフレーム（第ｎ個フレーム）データがグレースケール画像データコードとされ、即ちこの時刻のグレースケールオリジナルコードＧｎ  とされ、前の一つのフレームの前の時刻のグレースケールオリジナルコードＧｎ−１  とは異なり、この画素の輝度が改変されたことを表示する。もしこの時刻のグレースケールオリジナルコードＧｎ  がデータドライバ（ｄａｔａｄｒｉｖｅｒ）中に送られると、液晶の反応速度が遅いため、その輝度変化曲線は図１の第２曲線Ｂのようになり、一つのフレームが終了する時、一つのフレームの時間にあって輝度目標値を図中のＧｎ  の縦座標の代表する輝度とすることはできず、液晶反応が遅いため実際と期待される輝度値との間に落差の現象がある。このため設計者は注意してグレースケールを第３曲線Ｃの高電圧グレースケールオリジナルコードＧｎ  ’に改変してデータドライバ中に送り、データドライバに比較的高い電位差を発生させて液晶の反応速度の遅さを補い、その輝度変化曲線を図１の第１曲線Ａのようにし、一つのフレームが終了する時の輝度を目標値の許容誤差範囲内とする。次のフレーム（第ｎ＋１個のフレーム）のグレースケールコードを送るとき、もしこのフレームのグレースケールオリジナルコードＧｎ  と同じであれば、液晶画素の輝度を改変する必要がないことを表示し、これにより過駆動は不要で、この時刻のグレースケールオリジナルコードＧｎ  をデータドライバに送ればよい。
【０００４】
実施上、周知の技術の電子システムは図２の液晶反応速度を増加したフレームアクセス表示図に示されるように、フレーム中のこの時刻のグレースケールオリジナルコードＧｎ  がメモリ２０３に保存され、並びに同時にデータ変動処理ユニット（ｍｏｄｉｆｉｅｒ）２０５に伝送され、メモリ２０３内に保存されていた前の一つのフレームの前の時刻のグレースケールオリジナルコードＧｎ−１  もまたデータ変動処理ユニット２０５に伝送され、グレースケールオリジナルコード対比が行われ、過駆動が必要か否かが判断される。データが前の一つのフレームと異なっていれば、データ変動処理ユニット２０５が事前に保存された過駆動電圧検査表（ｌｏｏｋ−ｕｐ  ｔａｂｌｅ）を読み取り、グレースケール値の画像ディジタルコードを改変することにより、グレースケール値電圧レベルを上げるか下げるかして過駆動の目標を達成し、こうしてデータを改変して新しい高電圧グレースケールオリジナルコードＧｎ  ’となし、さらにデータドライバ２０７を経由して駆動電圧／電流信号を表示パネルに伝送する。
【０００５】
さらに図３は、周知の技術のＮビットデータドライバ（Ｎ−ｂｉｔ  ｄａｔａｄｒｉｖｅｒ）中のディジタルアナログ信号変換器表示図である。  図示されるように、データドライバ内のディジタルアナログ変換器は、複数のビット（Ｎを例とする）のディジタルデータを受け取り、プラスマイナス極性はそれぞれ複数の参考電圧（ＶＧ１，ＶＧ２，．．ＶＧｍ）に連接され、抵抗の連接により２Ｎ  個のアナログ電圧を発生し、並びに対応するディジタル信号端に連接され、並びにセレクタ３０１によりバッファ３０３を透過してアナログ電圧を出力する。
【０００６】
周知の技術はグレースケール値を改変したディジタルグレースケールオリジナルコードにより、グレースケール電圧レベルを上げる或いは下げることにより過駆動の目標を達成し、これによりＮビットデータドライバを利用し、その欠点は、どのようなグレースケールを０或いは２Ｎ  −１グレースケールコードに変換しても過駆動不能であることである。
【０００７】
上述の周知のグレースケールを０或いは２Ｎ  −１グレースケールコードに変換しても過駆動不能である欠点を解決するための別の周知の技術によると、Ｎビットより大きいデータドライバを利用してコードマッピング方式により任意のグレースケールを０或いは２Ｎ  −１グレースケールコードに変換する。しかし却って内部に大量の直列分圧抵抗をレイアウトしなければならず、大きな面積が占用され、ダイ（Ｄｉｅ）面積が大きくなり製造コストが高くなる。
【０００８】
【発明が解決しようとする課題】
本発明は上述の欠点を解決し、データドライバ中の０及び２Ｎ  −１グレースケールオリジナルコードに対してそれぞれ少なくとも二つの参考電圧を提供し、これにより液晶ディスプレイの反応速度を増加する目的を達成する。
【０００９】
本発明は一種のディスプレイの反応速度増加装置と駆動方法を提供することを課題とし、それは、データドライバ内のディジタルアナログ変換器内にセレクトコントローラを設け、並びにデータドライバ中の最も暗い及び最も明るいグレースケールオリジナルコードに対してそれぞれ少なくとも二つの内部或いは外部印加の参考電圧を提供して選択に供し、これにより周知の、過駆動の方法により液晶反応速度を増加し、またデータドライバ中の最高と最低グレースケールコードが過駆動不能である欠点を解決し、液晶ディスプレイの反応速度を増加する目的を達成するものである。
【００１０】
本発明の装置は、複数ビットの画像データを受け取り並びに該画像データの複数ビットと過駆動制御信号を発生してデータドライバに出力してディスプレイ駆動に必要な異なる電気信号を発生させるデータ変動処理ユニットを具えている。
【００１１】
【課題を解決するための手段】
請求項１の発明は、ディスプレイの反応速度増加装置において、該ディスプレイの反応速度増加装置はディスプレイ駆動電圧或いは電流を増加する方法によりディスプレイの光電反応の速度を改善すると共に最も暗い及び最も明るいグレースケールコード付近の過駆動不能の問題を解決し、該ディスプレイの反応速度増加装置は、
複数ビットの画像データを受け取り、並びにこの画像データの複数ビットと過駆動制御信号を発生するデータ変動処理ユニットと、
該データ変動処理ユニットの出力する該画像データと該過駆動制御信号を受け取り、ディスプレイを駆動するのに必要な異なる電気信号を発生する少なくとも一つのデータドライバと、
を具えたことを特徴とする、ディスプレイの反応速度増加装置としている。
請求項２の発明は、請求項１記載のディスプレイの反応速度増加装置において、データドライバ内にディジタルアナログ変換器が設置されたことを特徴とする、ディスプレイの反応速度増加装置としている。
請求項３の発明は、請求項２記載のディスプレイの反応速度増加装置において、ディジタルアナログ変換器に複数の参考電圧信号が連接されてこれにより複数のディスプレイ駆動電気信号を発生することを特徴とする、ディスプレイの反応速度増加装置としている。
請求項４の発明は、請求項３記載のディスプレイの反応速度増加装置において、ディジタルアナログ変換器に連接された最も暗いグレースケールコードが選択に供される複数の駆動電気信号を具えたことを特徴とする、ディスプレイの反応速度増加装置としている。
請求項５の発明は、請求項３記載のディスプレイの反応速度増加装置において、ディジタルアナログ変換器に連接された最も明るいグレースケールコードが選択に供される複数の駆動電気信号を具えたことを特徴とする、ディスプレイの反応速度増加装置としている。
請求項６の発明は、請求項３記載のディスプレイの反応速度増加装置において、ディジタルアナログ変換器に連接された最も暗いグレースケールコード及び最も明るいグレースケールコードが選択に供される複数の駆動電気信号を具えたことを特徴とする、ディスプレイの反応速度増加装置としている。
請求項７の発明は、ディスプレイの反応速度増加装置において、該ディスプレイの反応速度増加装置はデータドライバによりディスプレイ駆動電気信号を増加してディスプレイの光電反応の速度を改善すると共に最も暗い及び最も明るいグレースケールコード付近の過駆動不能の問題を解決し、該ディスプレイの反応速度増加装置は、
この時刻のフレームデータを保存し前の一つの時刻のフレームデータを読み取るのに供される第１メモリユニットと、
過駆動策略を保存する第２メモリユニットと、
複数ビットの画像データを受け取り、この時刻のフレームデータと前の一つの時刻のフレームデータの対比を行ない、並びにこの画像データの複数ビットと過駆動制御信号を発生するデータ変動処理ユニットと、
該データ変動処理ユニットの出力する該画像データと該過駆動制御信号を受け取り、ディスプレイを駆動するのに必要な異なる電気信号を発生するデータドライバと、
を具えたことを特徴とする、ディスプレイの反応速度増加装置としている。
請求項８の発明は、請求項７記載のディスプレイの反応速度増加装置において、データドライバ内に更に、
複数の参考電気信号に連接され、これによりディスプレイを駆動するのに必要な複数の電気信号を発生する駆動信号発生ユニットと、
該駆動信号発生ユニットの発生する複数の駆動信号に連接され並びに入力される画像データと連接された駆動信号セレクタと、
最も暗いグレースケールコードの複数の駆動信号に連接された第１スイッチと、
最も明るいグレースケールコードの複数の駆動信号に連接された第２スイッチと、
第１スイッチと第２スイッチに連接され、切り換えを行ない、最も暗いグレースケールコードと最も明るいグレースケールコードが対応する複数の駆動信号の一つをそれぞれ選択するセレクトコントローラと、
を具えたことを特徴とする、ディスプレイの反応速度増加装置としている。
請求項９の発明は、請求項８記載のディスプレイの反応速度増加装置において、セレクトコントローラが過駆動制御信号を受け取り、第１スイッチと第２スイッチの切り換え状態を制御することを特徴とする、ディスプレイの反応速度増加装置としている。
請求項１０の発明は、請求項８記載のディスプレイの反応速度増加装置において、セレクトコントローラが過駆動制御信号と画像データの少なくとも１ビットを受け取り、第１スイッチと第２スイッチの切り換え状態を制御することを特徴とする、ディスプレイの反応速度増加装置としている。
【００１２】
【発明の実施の形態】
液晶の反応速度は緩慢で一つのフレームの時間に輝度目標値を達成できず、このため注意してグレースケールを図１に示される第３曲線Ｃの高電圧グレースケールオリジナルコードＧｎ  ’に改変してデータドライバに送り、データドライバに比較的高い電位差を発生させて過駆動（ｏｖｅｒｄｒｉｖｅ）して液晶の反応速度を増加させ、これによりフレーム終了時の輝度を目標値の許容できる誤差範囲内となす。
【００１３】
また図２に示される周知の技術では、このフレームに過駆動が必要か否かを判断するため、データ変動処理ユニット２０５（ｍｏｄｉｆｉｅｒ）によりメモリ２０３に保存された前の一つのフレームデータを読み取り、これによりこのフレームデータとの対比を行ない、グレースケールの変動の有無を判断し、過駆動が必要であれば、このデータ変動処理ユニット２０５が既に保存された過駆動電圧検査表（ｌｏｏｋ−ｕｐ  ｔａｂｌｅ）を読み取り、電位を高めて液晶反応速度を増加させ、並びに結果を液晶パネルに出力し表示する。データドライバはデータ変動処理ユニット２０５の出力する画像データと過駆動制御信号を受け取り、ディスプレイを駆動するのに必要な異なる電気信号を発生する。そのうち、このデータドライバ内に更に駆動信号発生ユニットが配置され、それは複数の参考信号に連接され、並びにこれによりディスプレイ駆動に必要な更に多くの電気信号を発生し、別に駆動信号セレクタが駆動信号発生ユニットの発生する複数の駆動電気信号に連接され、並びに入力された画像データと連接され、且つ入力された画像データに基づき対応する駆動信号を選択し出力する。
【００１４】
図４は本発明のディスプレイの反応速度増加装置中のデータドライバ中のディジタルアナログ変換器の第１実施例表示図である。図示されるデータドライバ内のディジタルアナログ変換器は、複数のＮビットディジタルデータを受け取り、プラスマイナス極性の各極性に対してそれぞれ複数の参考電圧（ＶＧ１，ＶＧ２，．．ＶＧｍ）が連接され、さらにデータドライバのディジタルアナログ変換器が複数のアナログ電圧に変換してディジタル信号をディスプレイパネル上に表示し、分圧器４０９により２Ｎ  個のアナログ電圧を発生する。この分圧器４０９は複数の抵抗或いは複数のコンデンサで実施され、即ちこのディジタルアナログ変換器は複数の参考電圧信号が連接され、これにより更に多くのディスプレイ駆動信号を発生する。Ｎビットデータドライバを用いた実施例であれば、周知の技術によると、どのグレースケールを０或いは２Ｎ  −１グレースケールコード（即ち最も明るい及び最も暗いグレースケールコード）に変換しても過駆動不能である。一方、本発明は図４に示されるように、データドライバ中の最高或いは最低グレースケールコード、即ち０及び２Ｎ  −１グレースケールオリジナルコードに対して、それぞれデータドライバ内部で自己発生するか或いは外部電圧に連接することにより複数の参考電圧が提供され、このディジタルアナログ変換器の最も暗い及び最も明るいグレースケールオリジナルコードがそれぞれ選択に供される複数の駆動信号を有する。図中、最も暗いグレースケールコードの参考電圧は第１参考電圧ＶＧ０と第２参考電圧ＶＧ０’とされ、即ち０グレースケールコードの参考電圧とされる。最も明るいグレースケールコードの参考電圧は、第１参考電圧ＶＧｍと第２参考電圧ＶＧｍ’とされ、即ち２Ｎ  −１グレースケールコードの参考電圧とされ、そのうち最も暗いグレースケールコードの第２参考電圧ＶＧ０’と最も明るいグレースケールコードの第２参考電圧ＶＧｍ’は任意のグレースケールを０付近のグレースケールコードに変換し、及び２Ｎ  −１付近のグレースケールコードに変換するのに必要な過駆動参考電圧である。
【００１５】
液晶画像に変動がある時、当時のフレームと前の一つのフレームのデータの対比を行ない、グレースケール変換が発生していれば、即ちデータドライバ内に事前に決定された過駆動策略に基づき、データを改変する。そのうち、システムは並びに判断し且つ過駆動制御信号４０１を送出し、異なる電圧或いは電流の大きさを以てデータドライバが最も暗いグレースケールコードの第２参考電圧ＶＧ０’或いは最も明るいグレースケールコードの第２参考電圧ＶＧｍ’の過駆動参考電圧により過駆動する必要があるか否かを告知する。必要であるならば、過駆動制御信号４０１が一つのレベル（例えば高レベル或いは大電流或いはプラス電流或いは低抵抗）に設定され、セレクトコントローラ４０３に第１スイッチ４０５と第２スイッチ４０７の開閉態様に対して、それぞれ最も暗い第２参考電圧ＶＧ０’と最も明るい第２参考電圧ＶＧｍ’を選択させる。もし不必要であれば、過駆動制御信号４０１はインバートレベル（例えば低レベル或いは低電流或いはマイナス電流或いは高抵抗）に設定され、セレクトコントローラ４０３に第１スイッチ４０５と第２スイッチ４０７に対して最も暗いグレースケールコードの第１参考電圧ＶＧ０と最も明るい第１参考電圧ＶＧｍを選択させる。そのうち、この過駆動策略は、データ変動処理ユニットに格納された検査表を利用し、本発明はまた数学関数対応を利用して実施されるハードウエアの実際の回路により決定するものとされうる。
【００１６】
図５は本発明の実施例のディスプレイの反応速度増加装置中の回路連接表示図である。その最大の特色は、Ｎビットの画像データを受け取った後、少なくともＮ＋１ビットの信号を発生することである。このＮ＋１ビットの信号中、Ｎビットは画像データで、残る少なくとも１ビットの信号４０１が表示するのは、最も暗いグレースケールコードの第２参考電圧ＶＧ０’或いは最も明るいグレースケールコードの第２参考電圧ＶＧｍ’の過駆動参考電圧により過駆動する必要が有るか否かである。その操作過程は以下のとおりである。画面データのＮビットグレースケールオリジナルコードを入力すると同時にメモリ２０３とデータ変動処理ユニット５０１に送り、即ちこの時刻のグレースケールオリジナルコードＧｎ  をメモリ２０３に保存すると共に、データ変動処理ユニット５０１内に伝送し、このメモリ２０３が二組のメモリユニットを具え、その第１メモリユニットはこの時刻のフレームデータの保存と前の一つの時刻のフレームデータの読み取りに供され、第２メモリユニットはその過駆動策略を保存する。このデータ変動処理ユニット５０１は該メモリ２０３内より既に保存されている前の一つのフレームの前の時刻のグレースケールオリジナルコードＧｎ−１  を読み出し、この時刻のグレースケールオリジナルコードＧｎ  と前の時刻のグレースケールオリジナルコードＧｎ−１  を対比し、並びに過駆動が必要か否かを判断する。
【００１７】
グレースケール変動がない画素に対しては、データ変動処理ユニット５０１がそれに対応し入力されたＮビットデータを出力し、このほかデータ変動処理ユニット５０１が最も暗いグレースケールコードの第２参考電圧ＶＧ０’或いは最も明るいグレースケールコードの第２参考電圧ＶＧｍ’の過駆動参考電圧により過駆動する必要があるか否かを代表する過駆動制御信号４０１を発生し、並びにそれを特定状態（例えば低レベル、低電流、マイナス電流或いは高抵抗）に設定し、不必要を表示する。
【００１８】
反対にグレースケール変換を有する画素に対しては、データ変動処理ユニット５０１は事前に保存された過駆動電圧検査表に基づき、検査表より或いは内差或いは両者を一緒に組み合わせるか、或いはその他の数値演算方式により、過駆動の必要とするグレースケール値を決定し並びにそれを出力し、これによりグレースケール値電圧レベルを上げるか下げて過駆動の目的を達成する。またデータ変動処理ユニット５０１は最も暗いグレースケールコードの第２参考電圧ＶＧ０’或いは最も明るいグレースケールコードの第２参考電圧ＶＧｍ’の過駆動参考電圧により過駆動する必要があるか否かを代表する過駆動制御信号４０１を発生し、グレースケール変換がその他のグレースケールより最も明るい或いは最も暗い付近（最も明るい及び最も暗いものを含む）に変換されたのでなく、或いは最も暗い第２参考電圧ＶＧ０’或いは最も明るい第２参考電圧ＶＧｍ’の過駆動参考電圧により過駆動する必要がなければ、過駆動制御信号４０１は特定状態（例えば低レベル、低電流、マイナス電流或いは高抵抗）に設定され、最も暗いグレースケールコードの第２参考電圧ＶＧ０’或いは最も明るいグレースケールコードの第２参考電圧ＶＧｍ’の過駆動参考電圧により過駆動する必要がないことを表示し、反対に、グレースケール変換がその他のグレースケールより最も明るい或いは最も暗い付近（最も明るい及び最も暗いものを含む）に変換され、且つ最も暗い第２参考電圧ＶＧ０’或いは最も明るい第２参考電圧ＶＧｍ’の過駆動参考電圧により過駆動する必要があれば、過駆動制御信号４０１は前述の状態と反対の状態（例えば高レベル、高電流、プラス電流或いは低抵抗）に設定され、最も暗いグレースケールコードの第２参考電圧ＶＧ０’或いは最も明るいグレースケールコードの第２参考電圧ＶＧｍ’の過駆動参考電圧により過駆動する必要があることを表示する。修正後のＮビット画像データと過駆動制御信号４０１がディスプレイパネル５００に送られる。
【００１９】
図６は本発明のディスプレイの反応速度増加装置のデータドライバの第１実施例表示図である。図示されるのは図５のデータドライバ５０３であり、液晶フレームデータがデータ変動処理ユニット５０１で処理された後に該データドライバ５０３に送られ、フレームデータは第１レジスタ６０１に保存され、並びに第１ラッチ６０３によりデータがラッチされ、同一時刻に、過駆動制御信号が最も暗いグレースケールコードの第２参考電圧ＶＧ０’或いは最も明るいグレースケールコードの第２参考電圧ＶＧｍ’の過駆動制御信号４０１を第２レジスタ６０２に伝送して保存し、第２ラッチ６０４によりラッチする必要があることを表示する。システムはデータビット６１１を引き出し並びにセレクトコントローラ４０３に送り、これにより最も暗いグレースケールコードの第２参考電圧ＶＧ０’或いは最も明るいグレースケールコードの第２参考電圧ＶＧｍ’を選択する必要があるかを判断する。ディジタルアナログ変換器４００が複数の並びに本発明の提供する複数の参考電圧を受け取り、各極性はＶＧ０’，ＶＧ０，ＶＧ２，・・・ＶＧｍ，ＶＧｍ’を含み、ディジタルアナログ変換器４００中のセレクトコントローラ４０３が複数の参考電圧が形成するスイッチを切り換え、もし最も暗いグレースケールコードの第２参考電圧ＶＧ０’或いは最も明るいグレースケールコードの第２参考電圧ＶＧｍ’による過駆動が必要であれば、本発明の実施例の図４に示される第１スイッチ４０５と第２スイッチ４０７を利用し、データビット６１１と過駆動制御信号４０１の代表する情報を経由し、最も暗いグレースケールコードの第２参考電圧ＶＧ０’或いは最も明るいグレースケールコードの第２参考電圧ＶＧｍ’を選択決定し、もし不必要であれば、最も暗いグレースケールコードの第１参考電圧ＶＧ０或いは最も明るいグレースケールコードの第１参考電圧ＶＧｍをそれぞれ選択する。最後にディジタルアナログ変換器４００により対応する電圧或いは電流を選択し、バッファ６０７に出力し、これにより液晶ディスプレイパネル５００の対応する画素を駆動する。
【００２０】
図７は本発明のディスプレイの反応速度増加装置のデータドライバの第２実施例表示図である。本発明の第１実施例と同様に、液晶フレームデータが第１レジスタ６０１に保存され、並びに第１ラッチ６０３によりデータがラッチされ、同一時刻に、過駆動制御信号が最も暗いグレースケールコードの第２参考電圧ＶＧ０’或いは最も明るいグレースケールコードの第２参考電圧ＶＧｍ’の過駆動制御信号４０１を第２レジスタ６０２に伝送して保存し、第２ラッチ６０４によりラッチする必要があることを表示する。ディジタルアナログ変換器４００は複数の並びに本発明の提供する複数の参考電圧を受け取り、各極性はＶＧ０’，ＶＧ０，ＶＧ２，・・・ＶＧｍ，ＶＧｍ’を含み、ディジタルアナログ変換器４００中のセレクトコントローラ４０３が複数の参考電圧が形成するスイッチを切り換え、もし最も暗いグレースケールコードの第２参考電圧ＶＧ０’或いは最も明るいグレースケールコードの第２参考電圧ＶＧｍ’による過駆動が必要であれば、本発明の実施例の図４に示される第１スイッチ４０５と第２スイッチ４０７を利用し、データビット６１１と過駆動制御信号４０１の代表する情報を経由し、最も暗いグレースケールコードの第２参考電圧ＶＧ０’或いは最も明るいグレースケールコードの第２参考電圧ＶＧｍ’を選択決定し、もし不必要であれば、最も暗いグレースケールコードの第１参考電圧ＶＧ０或いは最も明るいグレースケールコードの第１参考電圧ＶＧｍをそれぞれ選択する。最後にディジタルアナログ変換器４００により対応する電圧或いは電流を選択し、バッファ６０７に出力し、これにより液晶ディスプレイパネル５００の対応する画素を駆動する。
【００２１】
図４に示されるディジタルアナログ変換器は、複数のＮビットディジタルデータを受け取り、プラスマイナス極性に対してそれぞれ複数の参考電圧を連接し、ディジタル信号をアナログ信号に変換し、並びに分圧器４０９の各ディジタル信号端バイアスにより２Ｎ  個のアナログ信号を発生する。以下に本発明のディジタルアナログ変換器の各実施態様について説明する。
【００２２】
図８は本発明のディスプレイの反応速度増加装置中のデータドライバ中のディジタルアナログ変換器の第２実施例表示図である。その分圧回路は複数の抵抗が複数の参考電圧に連接されて発生し、このほか、データドライバ中の最高と最低のグレースケールコードに対して、即ち最も暗い０及び最も明るい２Ｎ  −１グレースケールオリジナルコードに対して、それぞれ複数の参考電圧を与え、最も暗い０のグレースケールコードの第１参考電圧ＶＧ０と第２参考電圧ＶＧ０’、及び最も明るい２Ｎ  −１のグレースケールコードの第１参考電圧ＶＧｍと第２参考電圧ＶＧｍ’が抵抗により連接され、図示されるように、最も暗い０グレースケールコードの第１参考電圧ＶＧ０（或いは第２参考電圧ＶＧ０’）が第２参考電圧ＶＧ０’（或いは第１参考電圧ＶＧ０）により一定の抵抗分圧関係を以て発生するが、ただし実際の発生方式はこれに限定されるわけではなく、一定の電容関係を利用して発生するものとされるか、或いは抵抗或いはコンデンサの共同により発生するものとされるか、或いはその他の昇圧或いは降圧回路により発生するものとされ、第１スイッチ４０５にセレクトコントローラ４０３で過駆動制御信号４０１を受け取らせて正確にこの０グレースケールコードの必要とする過駆動電圧を調整制御できるようにし、並びに０グレースケールコード付近のグレースケール画像状況に対して正確な調整を行う。同様に、最も明るい２Ｎ  −１グレースケールオリジナルコードの第１参考電圧ＶＧｍ（或いは第２参考電圧ＶＧｍ’）は第２参考電圧ＶＧｍ’（或いは第１参考電圧ＶＧｍ）により一定の抵抗分圧関係を以て発生するが、実際の発生方式はこれに限定されるわけではなく、一定の電容関係を利用して発生するものとされるか、或いは抵抗或いはコンデンサの共同により発生するものとされるか、或いはその他の昇圧或いは降圧回路により発生するものとされる。
【００２３】
図９は本発明のディスプレイの反応速度増加装置中のデータドライバ中のディジタルアナログ変換器の第３実施例表示図である。この実施例によると、最も明るい０グレースケールオリジナルコード付近に連接された第１参考電圧ＶＧ０と第２参考電圧ＶＧ０’のほかに、さらに第３参考電圧ＶＧ０”が連接されている。セレクトコントローラ４０３が過駆動制御信号４０１を受け取り、グレースケール変換が形成する差異の程度により第１参考電圧ＶＧ０、第２参考電圧ＶＧ０’と第３参考電圧ＶＧ０”を切り換え、更に多くの参考電圧より選択して過駆動する。同様に、最も明るい２Ｎ  −１グレースケールコード付近にも第１参考電圧ＶＧｍ、第２参考電圧ＶＧｍ’、第３参考電圧ＶＧｍ”が連接されて、更に多くの参考電圧により更に正確な過駆動の目的を達成する。
【００２４】
図１０は本発明のディスプレイの反応速度増加装置中のデータドライバ中のディジタルアナログ変換器の第４実施例表示図であり、図９に示される分圧器が抵抗器８０分圧方式を以て実施され、ディジタル電圧をアナログ電圧に変換する機能を達成し、並びにセレクトコントローラ４０３に異なる過駆動制御信号４０１に対して異なる過駆動電圧調整４０１を行わせる。
【００２５】
【発明の効果】
以上は本発明のディスプレイの反応速度増加装置と駆動方法の実施例の詳細な説明であり、過駆動制御信号により外部より印加されるか或いは内部で発生した複数の参考電圧を制御し、過駆動により液晶反応速度増加の目的と機能を達成する。
【００２６】
総合すると、以上により本発明のディスプレイの反応速度増加装置と駆動方法が目的と機能のいずれの面でも実施上の進歩性と産業上の利用価値を具備することが示され、且つ本発明は未公開であって特許の要件に符合する。なお、以上の説明は本発明の実施範囲を限定するものではなく、本発明に基づきなしうる細部の修飾或いは改変は、いずれも本発明の請求範囲に属するものとする。
【図面の簡単な説明】
【図１】周知の技術の液晶反応速度増加概念表示図である。
【図２】周知の技術の液晶反応速度増加フレームアクセス表示図である。
【図３】周知の技術のデータドライバ中のディジタルアナログ変換器表示図である。
【図４】本発明のディスプレイの反応速度増加装置中のデータドライバ中のディジタルアナログ変換器の第１実施例表示図である。
【図５】本発明の実施例のディスプレイの反応速度増加装置中の回路連接表示図である。
【図６】本発明のディスプレイの反応速度増加装置のデータドライバの第１実施例表示図である。
【図７】本発明のディスプレイの反応速度増加装置のデータドライバの第２実施例表示図である。
【図８】本発明のディスプレイの反応速度増加装置中のデータドライバ中のディジタルアナログ変換器の第２実施例表示図である。
【図９】本発明のディスプレイの反応速度増加装置中のデータドライバ中のディジタルアナログ変換器の第３実施例表示図である。
【図１０】本発明のディスプレイの反応速度増加装置中のデータドライバ中のディジタルアナログ変換器の第４実施例表示図である。
【符号の説明】
Ｇｎ    この時刻のグレースケールオリジナルコード
Ｇｎ−１    前の時刻のグレースケールオリジナルコード
Ｇｎ  ’    高電圧グレースケールオリジナルコード
２０３  メモリ
２０５  データ変動処理ユニット
２０７  データドライバ
Ａ  第１曲線
Ｂ  第２曲線
Ｃ  第３曲線
３０１  セレクタ
３０３  バッファ
ＶＧ０  第１参考電圧
ＶＧ０’  第２参考電圧
ＶＧ０”  第３参考電圧
ＶＧｍ  第１参考電圧
ＶＧｍ’  第２参考電圧
ＶＧｍ”  第３参考電圧
４００  ディジタルアナログ変換器
４０１  過駆動制御信号
４０３  セレクトコントローラ
４０５  第１スイッチ
４０７  第２スイッチ
４０９  分圧器
５００  ディスプレイパネル
５０１  データ変動処理ユニット
５０３  データドライバ
６０１  第１レジスタ
６０２  第２レジスタ
６０３  第１ラッチ
６０４  第２ラッチ
６０７  バッファ
６１１  データビット
８０  抵抗器
【図１】
2004226952.tif 000003
【図２】
2004226952.tif 000004
【図３】
2004226952.tif 000005
【図４】
2004226952.tif 000006
【図５】
2004226952.tif 000007
【図６】
2004226952.tif 000008
【図７】
2004226952.tif 000009
【図８】
2004226952.tif 000010
【図９】
2004226952.tif 000011
【図１０】
2004226952.tif 000012